(57)【要約】【課題】電力供給源を不要とし、手動操作するだけで摩擦熱により容器本体内の薬剤を加熱して該薬剤を揮散させると共に圧縮空気により当該薬剤を薬剤放出部材から外部に放出して薬剤を効果的に作用させることができる手動式加熱揮散装置を提供すること。【解決手段】手動式加熱揮散装置(1)は、薬剤(6)を内部に収容する容器本体(2)と、手動操作されることによって容器本体(2)外部の空気を吸入しながら当該容器本体(2)内の空気圧を高めて該容器本体(2)に蓄圧する手動蓄圧手段(4)と、熱伝導部材(13,14)と、手動操作されることによって熱伝導部材(13,14)を擦り摩擦熱を発生させる手動発熱手段(4)と、容器本体(2)に装着された、該容器本体(2)内の薬剤(6)を容器本体(2)外部に放出するための薬剤放出部材(3)と、を備えている。熱伝導部材(13,14)に発生した摩擦熱により薬剤(6)を加熱して揮散させると共に容器本体(2)内の空気圧を高めて当該揮散した薬剤(6)を薬剤放出部材(3)から放出する。【選択図】        図１
2004187582.tif 000002
【特許請求の範囲】
【請求項１】
薬剤を内部に収容する容器本体と、
手動操作されることによって前記容器本体外部の空気を吸入しながら当該容器本体内の空気圧を高めて該容器本体に蓄圧する手動蓄圧手段と、
熱伝導部材と、
手動操作されることによって前記熱伝導部材を擦り摩擦熱を発生させる手動発熱手段と、
前記容器本体に装着された、当該容器本体内の前記薬剤を容器本体外部に放出するための薬剤放出部材と、
を備え、
前記熱伝導部材に発生した前記摩擦熱により前記薬剤を加熱して揮散させると共に前記容器本体内の空気圧を高めて当該揮散した薬剤を前記薬剤放出部材から放出することを特徴とする手動式加熱揮散装置。
【請求項２】
前記熱伝導部材が、前記薬剤を保持する担体であることを特徴とする請求項１に記載した手動式加熱揮散装置。
【請求項３】
前記熱伝導部材が、
摩擦熱を発生するための摩擦熱発生部材と、
当該摩擦熱を前記薬剤に伝達するために前記摩擦熱発生部材に接触して配置され且つ前記薬剤を保持する担体と、
を備えていることを特徴とする請求項１に記載した手動式加熱揮散装置。
【請求項４】
前記担体が、前記薬剤が含浸された多孔質担体または、前記容器本体内の前記薬剤を吸液する吸液芯であることを特徴とする請求項２または請求項３に記載した手動式加熱揮散装置。
【請求項５】
前記手動蓄圧手段および前記手動発熱手段が、手動操作することによって、外部空気を前記容器本体内に吸入して前記容器本体内の圧力を高め且つ、前記熱伝導部材を擦って摩擦熱を発生させるピストンであることを特徴とする請求項１から請求項４のいずれか一つに記載した手動式加熱揮散装置。
【請求項６】
前記薬剤が液状薬剤であり、そして前記容器本体が前記液状薬剤の残量を外部から目視確認可能な透明容器であることを特徴とする請求項１から請求項５のいずれか一つに記載した手動式加熱揮散装置。
【請求項７】
前記薬剤が、殺虫剤、芳香剤または消臭剤であることを特徴とする請求項１から請求項６のいずれか一つに記載した手動式加熱揮散装置。
【発明の詳細な説明】
【０００１】
【発明の属する技術分野】
本発明は、手動式加熱揮散装置に関し、より詳細には、加熱して揮散させることで効果的に作用する薬剤を、商用電源、電池、等の電力供給源から供給される電力（即ち、電気エネルギー）を用いることなく、手動操作により積極的に揮散させることができる手動式加熱揮散装置に関する。
【０００２】
【従来の技術】
手動操作により薬剤を噴霧することができる手動蓄圧式ポンプ容器は従来から知られており（例えば、特許文献１参照）、この特許文献１では、ステムを容器本体内部に向けて押し込み、そして解放することによって一定量の薬剤を噴霧するようにした手動蓄圧式ポンプ容器（例えば、点鼻用噴霧具）が開示されている。一方、蚊等の害虫を駆除するための殺虫剤、芳香剤、等の薬剤を室内に拡散するための加熱蒸散装置も従来から知られている（例えば、特許文献２参照）。
【０００３】
【特許文献１】
実公平６−３９８０８号公報（第２頁、第３図）
【特許文献２】
特開２０００−８３５５４号公報（第２頁、第９図）
【０００４】
図３は、特許文献２で開示されている従来の加熱蒸散装置の概略図である。図３に示されるように、加熱蒸散装置５０は、上部筺体５２および下部筺体５３を、嵌着または接着等により組み合せてなる筺体５１を有し、筺体５１内に液体容器６０を収容できるようになっている。液体容器６０内には、殺虫成分や芳香成分等を含む液体が収容されている。有底筒状の液体容器６０には、液体容器６０内の液体を吸い上げ可能な吸液芯６１が、その一端を液体容器６０の小径部６０ａから外部に露出するように突出させ、そしてその他端を液体に浸漬させて、取付けられている。液体容器６０は、下部筺体５３の底部側に開放して設けられた装着孔から筺体５１内に装着される。
【０００５】
筺体５１内には、液体容器６０の小径部６０ａを係止する位置決め部材５４が設けられており、位置決め部材５４には、電気ヒーター等の加熱手段（即ち、発熱体）５５がネジ５６により固定されている。位置決め部材５４および加熱手段５５にはそれぞれ貫通孔が設けられており、液体容器６０を筺体５１内に装着した際には、液体容器６０から突出する吸液芯６１がそれらの貫通孔を貫通して装着される。その状態で、吸液芯６１の一端の近傍に配設された加熱手段５５により吸液芯６１を熱することで、吸液芯６１に吸い上げられた液体容器６０内の液体が蒸散されて気体となる。
【０００６】
筺体５１内には、光源５７が光源固定部材５８によって適宜の位置に固定されている。また、筺体５１の外壁には、電源コード６２、加熱手段５５や光源５７への通電を制御するスイッチ６３、光源５７の光を受光して作動・非作動を外部に表示する受光部材６４、液体容器６０内の残液量を外部から確認するための窓６５、等が設けられている。そして筺体５１外壁の図中上方には、吸液芯６１から蒸散された気体を外部に放出するための蒸散孔６６が設けられている。蒸散孔６６と吸液芯６１の上端（一端）ならびに加熱手段５５の上端との間には所定の間隔（距離）があけられている。蒸散孔６６は、蒸散された気体が望ましくは蒸散孔６６の開口周辺に当たることなく外部に放出されるように、吸液芯６１の断面面積より広い開口面積を有している。
【０００７】
【発明が解決しようとする課題】
特許文献１に開示されている手動蓄圧式ポンプ容器は、駆動レバーを操作するとステムを容器本体内部に向けて押し込んで蓄圧し、そして該駆動レバーを解放すると一定量の薬剤を噴霧するようにしたものであって、単に薬剤を圧力によって噴霧するものである。従って、特許文献１に開示されている手動蓄圧式ポンプ容器は、加熱して揮散させることによって効果的に作用する薬剤には使用できない。
【０００８】
一方、特許文献２に開示されている加熱蒸散装置は、電気ヒーター等の加熱手段（即ち、発熱体）５５により吸液芯６１を熱することで、吸液芯６１に吸い上げられた液体容器６０内の液体（薬剤）を蒸散して気体とし、蒸散孔６６から外部に放出するようになっている。従って、特許文献２に開示されている加熱蒸散装置は、加熱して揮散させることによって効果的に作用する薬剤に好適である。しかしながら、この加熱蒸散装置は、液体の加熱のために電気ヒーター等の電力を利用した加熱手段を用いており、商用電源のコンセント、電池、等の電力供給源からの電力供給があって始めて使用できる装置であるので、当該商用電源のコンセント、電池、等の電力供給源が無い、例えば、屋外等にて簡易に用いることはできない。また、当該電力供給源として電池を用いた場合は、電池交換等の煩雑な作業が必要でもある。
【０００９】
本発明は、前述した課題に鑑みてなされたものであり、その目的は、電力供給源を不要とし、手動操作するだけで摩擦熱により容器本体内の薬剤を加熱して該薬剤を揮散させると共に圧縮空気により当該薬剤を薬剤放出部材から外部に放出して薬剤を効果的に作用させることができる手動式加熱揮散装置を提供することにある。
【００１０】
【課題を解決するための手段】
前述した目的を達成するために、本発明の手動式加熱揮散装置は、請求項１に記載したように、
薬剤を内部に収容する容器本体と、
手動操作されることによって前記容器本体外部の空気を吸入しながら当該容器本体内の空気圧を高めて該容器本体に蓄圧する手動蓄圧手段と、
熱伝導部材と、
手動操作されることによって前記熱伝導部材を擦り摩擦熱を発生させる手動発熱手段と、
前記容器本体に装着された、当該容器本体内の前記薬剤を容器本体外部に放出するための薬剤放出部材と、
を備え、
前記熱伝導部材に発生した前記摩擦熱により前記薬剤を加熱して揮散させると共に前記容器本体内の空気圧を高めて当該揮散した薬剤を前記薬剤放出部材から放出することを特徴としている。
【００１１】
請求項１に記載の発明によれば、手動蓄圧手段ならびに手動発熱手段を手動で操作することによって熱伝導部材に発生した摩擦熱により薬剤を加熱して揮散させると共に容器本体内の空気圧を高めて当該揮散した薬剤が薬剤放出部材から放出されるように本発明の手動式加熱揮散装置が構成されているので、商用電源のコンセント、電池、等の電力供給源を用いることなく容器本体内の薬剤を揮散させて薬剤放出部材から放出させることができる。また、これによって、コンセント等の電力供給源のない屋外でも手軽に薬剤を散布することができ、また、電池交換等の煩わしい作業が不要となる。従って、本発明の手動式加熱揮散装置は、機構部品のみで構成でき、高価な電気部品を不要にすることができるので、コスト的にも有利である。
【００１２】
また、薬剤を容器本体内で揮散させて気体化し、当該気体化された薬剤を薬剤放出部材から放出するように本発明の手動式加熱揮散装置が構成されていることから、薬剤として揮散性ピレスロイド剤等を使用でき、当該薬剤を効果的に作用させることができる。尚、本発明の手動式加熱揮散装置は、気体化された薬剤を圧縮空気を用いて放出するので、噴射剤や溶剤を用いる必要はない。
【００１３】
また、本発明の手動式加熱揮散装置は、請求項２に記載したように、請求項１に記載の手動式加熱揮散装置において、
前記熱伝導部材が、前記薬剤を保持する担体であることを特徴としている。
【００１４】
請求項２に記載の発明によれば、摩擦熱を発生する熱伝導部材を、薬剤を保持する担体自体としたので、発生させた摩擦熱を直接薬剤に伝達して当該薬剤を効率良く加熱して揮散させることができる。
【００１５】
また、本発明の手動式加熱揮散装置は、請求項３に記載したように、請求項１に記載の手動式加熱揮散装置において、
前記熱伝導部材が、
摩擦熱を発生するための摩擦熱発生部材と、
当該摩擦熱を前記薬剤に伝達するために前記摩擦熱発生部材に接触して配置され且つ前記薬剤を保持する担体と、
を備えていることを特徴としている。
【００１６】
請求項３に記載の発明によれば、熱伝導部材が、摩擦熱発生部材と、薬剤を保持する担体と、を備えており、良好な摩擦熱発生効率および良好な薬剤保持性といった異なる特性が要求される熱伝導部材が、夫々最適特性を有する異なる材料（即ち、摩擦熱発生部材および担体）から形成されているので、摩擦により高い摩擦熱を効率良く発生させ且つ揮散温度の高い薬剤を揮散可能にして手動式加熱揮散装置の使用範囲を拡大すると共に、多量の薬剤を担体に保持させることによって手動式加熱揮散装置の長期にわたる安定した使用をも実現できる。
【００１７】
また、本発明の手動式加熱揮散装置は、請求項４に記載したように、請求項２または請求項３に記載の手動式加熱揮散装置において、
前記担体が、前記薬剤が含浸された多孔質担体または、前記容器本体内の前記薬剤を吸液する吸液芯であることを特徴としている。
【００１８】
請求項４に記載の発明によれば、担体を、薬剤が含浸された多孔質担体または、容器本体に収容された薬剤を吸液する吸液芯としたので、例えば、比較的少ない消費量で有効に作用する薬剤は多孔質担体に含浸させた状態で、また、比較的消費量の多い薬剤は容器本体内の薬剤を吸液芯に吸液させて供給するようにして、薬剤に適した薬剤供給形態で薬剤を供給することができる。また、これによって、薬剤を効率良く使用することができる。
【００１９】
また、本発明の手動式加熱揮散装置は、請求項５に記載したように、請求項１から請求項４のいずれか一つに記載した手動式加熱揮散装置において、
前記手動蓄圧手段および前記手動発熱手段が、手動操作することによって、外部空気を前記容器本体内に吸入して前記容器本体内の圧力を高め且つ、前記熱伝導部材を擦って摩擦熱を発生させるピストンであることを特徴としている。
【００２０】
請求項５に記載の発明によれば、手動蓄圧手段および手動発熱手段を、ピストンとし、該ピストンを作動させることにより容器本体外部の空気を容器本体内に吸入し、また熱伝導部材を擦って摩擦熱を発生させるようにしたので、手動式加熱揮散装置の使用に際して単にピストンを作動させる簡単な操作で薬剤を散布することができる。また、これによって、電力供給源に接続する等の面倒な準備操作することなく、必要な時、直ちに使用が可能となる。
【００２１】
また、本発明の手動式加熱揮散装置は、請求項６に記載したように、請求項１から請求項５のいずれか一つに記載した手動式加熱揮散装置において、
前記薬剤が液状薬剤であり、そして前記容器本体が前記液状薬剤の残量を外部から目視確認可能な透明容器であることを特徴としている。
【００２２】
請求項６に記載の発明によれば、薬剤を液状薬剤とすると共に容器本体を透明容器として、液状薬剤の残量を容器本体外部から目視確認可能としたので、薬剤の交換時期を容易に知ることができる。
【００２３】
また、本発明の手動式加熱揮散装置は、請求項７に記載したように、請求項１から請求項６のいずれか一つに記載した手動式加熱揮散装置において、
前記薬剤が、殺虫剤、芳香剤または消臭剤であることを特徴としている。
【００２４】
請求項７に記載の発明によれば、薬剤を、殺虫剤、芳香剤または消臭剤としたので、屋外または屋内であって近くに電力供給源のない場所、等においても、殺虫剤を散布して手軽に害虫を駆除することができる。また、手動操作するだけで芳香剤や消臭剤を散布して臭いを消すこともできる。よって、本発明の手動式加熱揮散装置は、何処でも手軽に携帯して使用することができる。
【００２５】
以上、本発明について簡潔に説明した。更に、以下に説明される発明の実施の形態を添付の図面を参照して通読することにより、本発明の詳細は更に明確化されるであろう。
【００２６】
【発明の実施の形態】
以下、本発明に係る好適な実施形態を図面に基づいて詳細に説明する。図１は本発明に係る一実施形態である手動式加熱揮散装置の概略構成図である。
【００２７】
図１に示されるように、本発明の手動式加熱揮散装置１は、容器本体２と、薬剤放出部材３と、手動蓄圧手段４と、手動発熱手段５と、を備えている。容器本体２は、合成樹脂を射出成形して形成された有底容器であり、内部に殺虫剤、芳香剤、消臭剤、等の薬剤６を収容できるようになっている。容器本体２の開口部には、蓋体８が装着されて容器本体２を密閉（即ち、液密および気密に封止）するようになっている。尚、容器本体２は、外部から薬剤６の残量を目視で確認できるように透明な合成樹脂で形成されることが好ましい。
【００２８】
薬剤放出部材３は、容器本体２に収容された薬剤６を容器本体２外部に放出させるためのものであって、開閉弁１０が設けられた従来公知のノズルヘッドであり、薬剤放出部材３を押圧することにより開閉弁１０が開いて容器本体２内の薬剤６を含む気体が薬剤放出孔３ａから放出されるようになっている。尚、薬剤放出部材３は、操作（例えば、本実施形態では押圧操作）される都度、容器本体２内の薬剤６を含む気体を放出するタイプのノズルヘッドまたは、一回の操作により当該容器本体２内の薬剤６を含む気体を出し切ることが可能な全量噴射タイプのノズルヘッドのいずれを採用してもよい。
【００２９】
手動蓄圧手段４は、手動操作することによって外部空気を容器本体２内に吸入し、容器本体２内の圧力を高めて蓄圧するためのものであって、その一例として本実施形態ではピストン９が容器本体２の蓋体８を貫通し、容器本体２の液密および気密を保持したまま摺動可能に配設されている。ピストン９は、図１に示されるように矢印Ａ方向または矢印Ｂ方向に手で作動させることによって、ピストン９と蓋体８とで画成された閉鎖空間１１内の空気を圧縮して容器本体２内に押し込まれ、当該空気を容器本体２内に蓄圧するように構成されている。
【００３０】
具体的には、ピストン９を矢印Ａ方向に押圧すると、閉鎖空間１１内の空気が圧縮されて当該圧縮空気が逆止弁１２を押し開きながら、ピストン９が容器本体２内に押し込まれる。そして、ピストン９を矢印Ｂ方向に引っぱると、閉鎖空間１１内の圧力が低下して容器本体２外部の空気が逆止弁１５を介して閉鎖空間１１内に吸入されるようになっている。従って、ピストン９を矢印Ａ方向または矢印Ｂ方向に作動させる毎に、外部空気が容器本体２内に吸入されて蓄圧される。尚、ピストン９のスカート部９ａには、図１に示されるように、容器本体２内における逆止弁１２直下の空間とスカート部９ａ外側の空間とをピストン９の位置によっては連通させる圧縮空気挿通孔１６が設けられており、この圧縮空気挿通孔１６によって閉鎖空間１１内の圧縮された空気が逆止弁１２および逆止弁１２直下の空間を通じてスカート部９ａ外側の空間へと導かれるようになっている。
【００３１】
手動発熱手段５は、手動操作することによって摩擦熱を発生させるためのものであって、その一例として本実施形態ではピストン９が摩擦熱発生部材１３に摩擦熱を生じさせる。摩擦熱発生部材１３は、支持部材（不図示）によって容器本体２内に固定されており、容器本体２の内部においてピストン９のスカート部９ａに適宜の締め代をもって嵌合する（即ち、ピストン９のスカート部９ａにより外周が囲まれる）。摩擦熱発生部材１３は、ピストン９を矢印Ａ方向または矢印Ｂ方向に作動した際に、スカート部９ａとの摩擦により摩擦熱を発生させると共に、発生した摩擦熱を後述する吸液芯１４に効率良く伝達するようになっており、例えば、金属、セラミック、プラスチック、等の熱伝導率の高い材料で形成されている。
【００３２】
摩擦熱発生部材１３には、担体の一例である吸液芯１４の一端１４ａが接触しながら配置されている。吸液芯１４の他端１４ｂは、容器本体２内に収容された薬剤６に浸漬され且つ、容器本体２内に設けられた固定手段１７によって容器本体２内に位置決めされ且つ固定されている。吸液芯１４は、例えば、セラミック、プラスチック、紙、木、等の吸液率の高い材料で形成された多孔質体、不織布、紐体、等からなり、容器本体２内に収容された薬剤６を他端１４ｂで吸引し、摩擦熱発生部材１３に接触している一端１４ａまで吸い上げて供給できるようになっている。
【００３３】
摩擦熱発生部材１３とピストン９のスカート部９ａとを摩擦することにより発生した摩擦熱は、摩擦熱発生部材１３から吸液芯１４の一端１４ａに伝導され、吸液芯１４に保持された薬剤６を加熱し、揮散させて気体とするようになっている。即ち、本実施形態における熱伝導部材は、摩擦熱発生部材１３と、吸液芯１４と、を備えている。従って、ピストン９を作動させると、容器本体２内には、薬剤６の成分を含む加圧された気体が充満する。
【００３４】
次に、手動式加熱揮散装置の変形例を図２を参照して説明する。図２は、本発明の手動式加熱揮散装置の変形例の概略構成図である。尚、図１において既に説明した部分については、同一符号または相当符号を付して説明を簡略化または省略する。
【００３５】
図２に示されるように、手動式加熱揮散装置２０は、ピストン９のスカート部９ａと熱伝導部材２１の一端２１ａとが適宜の締め代をもって嵌合している。熱伝導部材２１は、例えば、金属、セラミック、プラスチック、紙、木、等の熱伝導率の高い多孔質材で形成されており、薬剤６を保持すると共に、ピストン９のスカート部９ａとの摩擦によって摩擦熱を発生できるようになっている。また、薬剤６は、その全量が多孔質担体である熱伝導部材２１に吸着された状態で保持されており、容器本体２内に液状のまま貯溜された薬剤６はない。即ち、熱伝導部材２１は、図１に示す手動式加熱揮散装置１の摩擦熱発生部材１３および吸液芯１４両方の機能を兼ね備えているものである。
【００３６】
次に、本実施形態の作用を説明する。
図１において、ピストン９を矢印Ａ方向に手動で操作すると、閉鎖空間１１内の空気が圧縮される。閉鎖空間１１内の圧力が所定の圧力より高くなると、逆止弁１２が開いて閉鎖空間１１内の圧縮空気は容器本体２内に押し込まれる。ピストン９を矢印Ｂ方向に移動させると、閉鎖空間１１内の圧力が低下し、該閉鎖空間１１内の圧力が所定の圧力以下になると逆止弁１５が開き、容器本体２外部の空気が逆止弁１５を介して閉鎖空間１１内に吸入される。即ち、ピストン９を矢印Ａ方向および矢印Ｂ方向に作動させる毎に、外部空気が閉鎖空間１１内に取り込まれ、更に容器本体２内に押し込まれて蓄圧される。容器本体２内の圧力は、ピストン９の作動回数に比例して次第に高められる。
【００３７】
一方、ピストン９の矢印Ａ方向または矢印Ｂ方向への操作に伴なって、ピストン９のスカート部９ａと摩擦熱発生部材１３とが摺動し、スカート部９ａと摩擦熱発生部材１３との摩擦によって摩擦熱が発生する。摩擦熱発生部材１３の外周部に発生した摩擦熱は、摩擦熱発生部材１３によって吸液芯１４に伝導され、吸液芯１４に保持された薬剤６を加熱し、揮散させる。
【００３８】
従って、ピストン９を矢印Ａ方向および矢印Ｂ方向に作動させると、容器本体２内には、薬剤６の成分を含む加圧された気体が充満する。ここで、薬剤放出部材３の開口部を所望の方向に向けて薬剤放出部材３を押圧すると、開閉弁１０が開き、そして容器本体２内に蓄積されていた薬剤６を含む加圧気体が、容器本体２内部と連通する薬剤放出部材３の薬剤放出孔３ａから放出される。
【００３９】
上述したように、電力を使用することなく、単にピストン９を矢印Ａ方向および矢印Ｂ方向に作動させるだけで、加熱して、揮散させた薬剤６を勢い良く放出することができる。また、揮散させた薬剤６を薬剤放出部材３の薬剤放出孔３ａを対象物に向けて放出してもよい。また、吸液芯１４に保持されている薬剤６が揮散し、薬剤６の保持量が少なくなると、吸液芯１４は容器本体２内に収容された薬剤６を吸い上げて自動的に補給する。尚、薬剤６の残量は、透明な容器本体２の外部から容易に目視確認することができるので、薬剤６の交換時期を簡単に知ることができる。
【００４０】
尚、手動式加熱揮散装置１の変形例である図２の手動式加熱揮散装置２０の作用も同様であるが、薬剤６の自動補給はなく、熱伝導部材２１に保持された薬剤６が消費されると、新しい熱伝導部材２１と交換することにより薬剤６が補給される。従って、手動式加熱揮散装置２０は、一回当たりの消費量が比較的少ない薬剤６に適用するのに好適である。
【００４１】
尚、本発明は、前述した実施形態や変形例に限定されるものではなく、適宜、変形、改良、等が可能である。その他、前述した実施形態や変形例における各構成要素の材質、形状、寸法、数値、形態、数、配置箇所、等は本発明を達成できるものであれば任意であり、限定されない。
【００４２】
【発明の効果】
以上、説明したように、本発明によれば、手動蓄圧手段ならびに手動発熱手段を手動で操作することによって熱伝導部材に発生した摩擦熱により薬剤を加熱して揮散させると共に容器本体内の空気圧を高めて当該揮散した薬剤が薬剤放出部材から放出されるように本発明の手動式加熱揮散装置が構成されているので、商用電源のコンセント、電池、等の電力供給源を用いることなく容器本体内の薬剤を揮散させて薬剤放出部材から放出させることができる。また、これによって、コンセント等の電力供給源のない屋外でも手軽に薬剤を散布することができ、また、電池交換等の煩わしい作業が不要となる。従って、本発明の手動式加熱揮散装置は、機構部品のみで構成でき、高価な電気部品を不要にすることができるので、コスト的にも有利である。
【００４３】
また、本発明によれば、薬剤を容器本体内で揮散させて気体化し、当該気体化された薬剤を薬剤放出部材から放出するように本発明の手動式加熱揮散装置が構成されていることから、薬剤として揮散性ピレスロイド剤等を使用でき、当該薬剤を効果的に作用させることができる。尚、本発明の手動式加熱揮散装置は、気体化された薬剤を圧縮空気を用いて放出するので、噴射剤や溶剤を用いる必要はない。
【００４４】
また、本発明によれば、摩擦熱を発生する熱伝導部材を、薬剤を保持する担体自体としたので、発生させた摩擦熱を直接薬剤に伝達して当該薬剤を効率良く加熱して揮散させることができる。
【００４５】
また、本発明によれば、熱伝導部材が、摩擦熱発生部材と、薬剤を保持する担体と、を備えており、良好な摩擦熱発生効率および良好な薬剤保持性といった異なる特性が要求される熱伝導部材が、夫々最適特性を有する異なる材料（即ち、摩擦熱発生部材および担体）から形成されているので、摩擦により高い摩擦熱を効率良く発生させ且つ揮散温度の高い薬剤を揮散可能にして手動式加熱揮散装置の使用範囲を拡大すると共に、多量の薬剤を担体に保持させることによって手動式加熱揮散装置の長期にわたる安定した使用をも実現できる。
【００４６】
また、本発明によれば、担体を、薬剤が含浸された多孔質担体または、容器本体に収容された薬剤を吸液する吸液芯としたので、例えば、比較的少ない消費量で有効に作用する薬剤は多孔質担体に含浸させた状態で、また、比較的消費量の多い薬剤は容器本体内の薬剤を吸液芯に吸液させて供給するようにして、薬剤に適した薬剤供給形態で薬剤を供給することができる。また、これによって、薬剤を効率良く使用することができる。
【００４７】
また、本発明によれば、手動蓄圧手段および手動発熱手段を、ピストンとし、該ピストンを作動させることにより容器本体外部の空気を容器本体内に吸入し、また熱伝導部材を擦って摩擦熱を発生させるようにしたので、手動式加熱揮散装置の使用に際して単にピストンを作動させる簡単な操作で薬剤を散布することができる。また、これによって、電力供給源に接続する等の面倒な準備操作することなく、必要な時、直ちに使用が可能となる。
【００４８】
また、本発明によれば、薬剤を液状薬剤とすると共に容器本体を透明容器として、液状薬剤の残量を容器本体外部から目視確認可能としたので、薬剤の交換時期を容易に知ることができる。
【００４９】
また、本発明によれば、薬剤を、殺虫剤、芳香剤または消臭剤としたので、屋外または屋内であって近くに電力供給源のない場所、等においても、殺虫剤を散布して手軽に害虫を駆除することができる。また、手動操作するだけで芳香剤や消臭剤を散布して臭いを消すこともできる。よって、本発明の手動式加熱揮散装置は、何処でも手軽に携帯して使用することができる。
【図面の簡単な説明】
【図１】本発明に係る手動式加熱揮散装置の好適な実施形態の概略構成図である。
【図２】図１の手動式加熱揮散装置の変形例を示す概略構成図である。
【図３】特許文献２に開示されている加熱蒸散装置の縦断面図である。
【符号の説明】
１，２０    手動式加熱揮散装置
２          容器本体（透明容器）
３          薬剤放出部材
３ａ        薬剤放出孔
４          手動蓄圧手段
５          手動発熱手段
６          薬剤（殺虫剤、芳香剤、消臭剤、等）
９          ピストン
１３          摩擦熱発生部材（熱伝導部材）
１４          吸液芯（熱伝導部材、担体）
２１          熱伝導部材（多孔質担体）
【図１】
2004187582.tif 000003
【図２】
2004187582.tif 000004
【図３】
2004187582.tif 000005